(57)【要約】【課題】従来はバチで駒を打つことを想定していなかった為、駒の機能に制約があった。バチで駒を打つことにより音を奏でることが出来、通常のように弦をバチで撥いて音を奏でることも出来る駒が必要であった。【解決手段】  駒周面（１２）にバチを打ち当てることの出来る被打部（１３）と弦を支持する弦支持部（１５）が形成され、載置後において転動自在な構造である弦楽器の駒（１０）を提供する。【選択図】図１
2018180498.tif 000002
【特許請求の範囲】
【請求項１】
駒周面（１２）にバチを打ち当てることの出来る被打部（１３）と
弦を支持する弦支持部（１５）が形成されていることを特徴とする弦楽器の駒（１０）。
【請求項２】
前記駒が載置後において転動自在な構造であることを特徴とする請求項１に記載の弦楽器の駒。
【請求項３】
前記駒を転動させた状態においても、前記被打部が形成されていることを特徴とする請求項１および２に記載の弦楽器の駒。
【請求項４】
前記被打部から前記弦支持部までの距離の大きさが前記弦の直径よりも大きいことを特徴とする請求項１乃至請求項３に記載の弦楽器の駒。
【請求項５】
転動前の弦支持部から載置面までの距離の大きさと
転動後の弦支持部から載置面までの距離の大きさに差異があることを特徴とする請求項１乃至請求項４に記載の弦楽器の駒。
【請求項６】
載置した前記駒において、
何れか一つの弦支持部から載置面までの距離の大きさと
他方の一つの弦支持部から載置面までの距離の大きさに差異があることを特徴とする請求項１乃至請求項５に記載の弦楽器の駒。
【請求項７】
前記駒周面の少なくとも一部に略平坦面が形成されていることを特徴とする請求項１乃至請求項６に記載の弦楽器の駒。
【請求項８】
前記駒の形状が、略円柱または略球状であることを特徴とする請求項１乃至請求項７に記載の弦楽器の駒。
【請求項９】
前記駒の形状が、略四角柱または略三角柱であることを特徴とする請求項１乃至請求項８に記載の弦楽器の駒。
【請求項１０】
駒柱部（１７）の断面の形状が、略円形、略六角形、略五角形、略四角形、または略三角形のいずれかであることを特徴とする請求項１乃至請求項９に記載の弦楽器の駒。
【発明の詳細な説明】
【技術分野】
【０００１】  発明は、弦楽器の駒に関する。
【背景技術】
【０００２】  弦楽器の共通構造として、弦の振動自体が発する音は微音である為、音を増幅させる装置（共鳴体）を有している。その共鳴体は、一般的に中空構造であり、共鳴体の表面は、皮・紙・薄板などの振動媒介体（振動膜部）で覆われている。【０００３】  従来の弦楽器の駒の役割は、演奏者によって弾かれた弦の振動を、振動膜を介して共鳴体へ伝達することであり、バチで直接駒を打って音を奏でること自体を想定していなかった。それ故に、バチから受ける衝撃に耐える構造にはなっておらず、バチで駒を打った場合には、駒の破損や弦の劣化が生じる恐れがあった。
【発明の概要】
【発明が解決しようとする課題】
【０００４】  本発明の目的は、バチで駒を打つことにより音を奏でることが出来、通常のように弦をバチで撥いて音を奏でることも出来る駒（兼用駒）を提供することにある。
【課題を解決するための手段】
【０００５】  上記の目的を達成するため、本発明は、駒周面にバチを打ち当てることの出来る被打部と弦を支持する弦支持部が形成されていることを特徴とする弦楽器の駒を提供する。【０００６】  前記駒が載置後において転動自在な構造であることが好ましい。【０００７】  前記駒を転動させた状態においても、前記被打部が形成されていることが好ましい。【０００８】  前記被打部から前記弦支持部までの距離の大きさが前記弦の直径よりも大きいことが好ましい。【０００９】  転動前の弦支持部から載置面までの距離の大きさと転動後の弦支持部から載置面までの距離の大きさに差異があることが好ましい。【００１０】  載置した前記駒において、何れか一つの弦支持部から載置面までの距離の大きさと他方の一つの弦支持部から載置面までの距離の大きさに差異があることが好ましい。【００１１】  前記駒周面の少なくとも一部に略平坦面が形成されていることが好ましい。【００１２】  前記駒の形状が、略円柱または略球状であることが好ましい。【００１３】  前記駒の形状が、略四角柱または略三角柱であることが好ましい。【００１４】  駒柱部の断面の形状が、略円形、略六角形、略五角形、略四角形、または略三角形のいずれかであることが好ましい。
【発明の効果】
【００１５】  この駒の最大の特徴はバチで打つことが可能な被打部が形成されていることである。この被打部をバチで打つと、その運動エネルギーが駒を介して振動膜へ伝わる。
さらに、駒の反動によって弦が持ち上げられて振動を起こし、その弦の振動エネルギーが振動膜に伝わることで重層的で余韻のある音を奏でることが可能になる。【００１６】  また、従来と同様にバチで直接的に弦を撥いて演奏することと合わせて、弦楽器の新しい用途の開発にも貢献し、本発明の駒を用いた楽器は幅広い用途で用いることが出来る。
さらに、駒を転動させることで、載置面から弦までの高さを調整する手段も提供する。
【図面の簡単な説明】
【００１７】
【図１】本発明の実施形態に係る弦楽器の駒の斜視図である。
【図２】本発明の実施形態に係る弦楽器の駒の断面図である。
【図３】本発明の実施形態に係る弦楽器の駒の形状の組合せ例示図である。
【図４】本発明の実施形態に係る弦楽器の駒の変形例１の斜視図である
【図５】本発明の実施形態に係る弦楽器の駒の変形例１の断面図である。
【図６】本発明の実施形態に係る弦楽器の駒の変形例２の断面図である。
【図７】本発明の実施形態に係る弦楽器の駒の変形例３の断面図である。
【図８】本発明の実施形態に係る弦楽器の駒の変形例４の斜視図である。
【図９】本発明の実施形態に係る弦楽器の駒の変形例４の断面図である。
【図１０】本発明の実施形態に係る弦楽器の駒の変形例５の斜視図である。
【図１１】本発明の実施形態に係る弦楽器の駒の変形例５の断面図である。
【図１２】本発明の実施形態に係る弦楽器の駒の変形例６の斜視図である。
【図１３】本発明の実施形態に係る弦楽器の駒の変形例６の断面図である。
【図１４】本発明の実施形態に係る弦楽器の駒の変形例７の斜視図である。
【図１５】本発明の実施形態に係る弦楽器の駒の変形例７の正面図である。
【図１６】本発明の実施形態に係る弦楽器の駒の変形例８の斜視図である。
【発明を実施するための形態】
【００１８】  図１は本発明実施形態に係る弦楽器の駒の斜視図である。本発明による弦楽器の駒１０は、両端に駒端面１１があり、周壁に駒周面１２がある。
図で示しているのは、弦楽器の共鳴体の上に載置した状態であり、駒周面１１の上部には、バチで打って演奏する際にバチの当たる場所である被打部１３が形成されている。
当該被打部１３は、バチが打ちやすいように一定の広さを有する面が形成されており、図１における被打部１３には、平坦面が形成されている。
【００１９】  駒周面１２には、弦溝１４が設けられている。この実施例では、三味線において用いられる駒を想定している為、３列の弦溝１４が形成されているが、より多くの弦を有する楽器に用いる場合にはより多くの弦溝を設ければ対応可能であり、弦溝を３列に限定するものではない。
【００２０】  駒は、木、合成樹脂、プラスティック、ガラス、セラミック、紙、金属などの材質で出来ている。図示した駒の構造によって、従来の駒よりも耐久性能を向上させることも可能である。
【００２１】  図２は本発明の実施形態に係る弦楽器の駒の断面図である。（本発明における全ての断面図は弦溝が形成された位置での断面である。）
弦２０と駒１０が接する位置に弦支持部１５が形成されている。弦支持部１５は、弦２０を支持し弦２０の振動を駒本体に伝達する役割を有する。
また、駒全体を貫く駒柱部１７の断面が斜線で示されている。図２において、駒柱部１７の形状は菱形であるが、この形状には様々なバリエーションがある。
【００２２】  図３は本発明の実施形態に係る弦楽器の駒の形状の組合せを示す図である。
駒端面１１の形状は、円、八角形、六角形、五角形、四角形、三角形等が可能であり、駒柱部の形状も同様に、円、八角形、六角形、五角形、四角形、三角形等が可能である。
勿論、円と八角形の中間の形状として、十角形や十二角形等の多角形も可能であり、この組合せによって、数多くの形状を生み出すことが出来る。
ここでは見やすさを考慮して、円、六角形、五角形、四角形、三角形の５パターンのみを提示している。
【００２３】  駒端面１１の形状が円・八角形・六角形の場合には、転動する上で大きな抵抗が生じないが、駒端面１１の形状が四角形・三角形の場合には、転動する上で大きな抵抗が生じることがある。そのような場合には、被打部と弦の間の隙間を利用して押動または引動することや、駒の両端面等をつかんで摺動させることで、よりスムーズに駒を移動させることが出来るようになる。本発明の駒を移動させる方法は、転動のみならず、押動、引動、摺動などが可能である。
【００２４】  図４は本発明の実施形態に係る弦楽器の駒１０の変形例１の斜視図であり、図５は同変形例の斜視図である。ここでは、駒１０の上部に平坦な面は形成されておらず、載置面以外の駒周面１２において円弧を描く曲面が続いている。
駒周面１２において、載置面を除く広い範囲を被打部１３として利用することが可能であり、被打部１３と被打部以外を明確に区分けする必要はない。
【００２５】  駒周面１２になだらかな曲面があることで、駒の載置後でも容易に転動することが出来、駒の配置場所をスムーズに変更することが可能になる。駒を転動することで、被打部の位置を移動させること出来、弦の高さや弦の張力を調整することが出来る。
【００２６】  図６は本発明の実施形態に係る弦楽器の駒の変形例２の断面図である。転動前に駒の上部に形成された弦支持部１５から載置面までの距離の大きさと、転動後に駒の上部に形成された弦支持部１５から載置面までの距離の大きさに差異が生じる為、弦の高さ調整をすることが可能である。
弦を使いやすい高さに設定することで、演奏者にとって弾きやすい高さに合わせて演奏を楽しむことが可能になる。
【００２７】  図７は本発明の実施形態に係る弦楽器の駒（弦支持部材を有するタイプ）の断面図である。図示したように、弦支持部材１６を駒に挟着することで、弦支持部１５が有する機能を代用させることが可能である。
この弦支持部材１６を異なる材質にすることで、駒を介して振動膜部に伝わる音量や音質を調整することが出来る。
【００２８】  図８は本発明の実施形態に係る弦楽器の駒の変形例４の斜視図であり、図９は同変形例の断面図である。略三角柱の構造であり、上部に平坦な被打部１３が形成されている。
略三角柱の三面すべてに弦溝１４が形成されており、弦溝１４内部に弦支持部１５が形成されている。駒端面１１は、略正三角形や略二等辺三角形の形状に形成されている。これとは反対に、それぞれの辺の長さに差異を設けることで、弦の高さや弦の張力を調整することも可能である。
【００２９】  図１０は本発明の実施形態に係る弦楽器の駒の変形例５の斜視図であり、図１１は同変形例の断面図である。三角柱の構造であり、弦溝１４の内部に弦支持部が形成されている。上部の被打部１３は突起した形状である。実際の製品においては、研磨などの加工仕上がりによって多少の丸みが突起先に生じている。三角柱のそれぞれの角部において弦溝１４が形成されている。変形例４に比べて加工しやすい構造になっている。
【００３０】  図１２は本発明の実施形態に係る弦楽器の駒の変形例６の斜視図であり、図１３は同変形例の断面図である。変形例５と同様な構造であるが、２つの角部における弦溝１４が連結している。このため、変形例５に比べてさらに加工しやすい構造になっている。
【００３１】  図１４は本発明の実施形態に係る弦楽器の駒の変形例７の斜視図であり、図１５は同変形例の正面図である。略球体の構造であり、載置可能に平坦面を有している。略球体であるので、どの角度からでも被打部１３として利用することが可能である。
また、転動可能であるため、載置面の形状に違いによって音響が変化する。
図１５では、中央の弦支持部１５の位置が、それ以外の弦支持部の位置よりも、載置面からの距離が大きくなっている。胡弓などの弦楽器では、中央の弦が他の弦よりも高い位置に張られており、そのような弦楽器にも対応することが可能である。
【００３２】  図１６は本発明の実施形態に係る弦楽器の駒の変形例８の斜視図である。
駒の側面は略二等辺三角形の形状であり、駒の上部には被打部１３が形成されている。
また、駒の上部に弦溝１４が形成されているが、載置面側に弦溝は形成されていない。正面から見た弦溝１４の形状は略Ｖ字形状であり、加工しやすい形になっている。
弦が弦溝１４の中に納まると、駒の頂部をバチで打っても弦を傷付ける心配がなくなる為、上部に平坦面が形成されていなくとも被打部としての利用が可能である。
【００３３】  全般的に本発明の被打部から支持部までの距離の大きさは、弦２０の直径よりも大きくなっている。その為、バチで被打部１３を打つ際に、直接的にバチが弦に当らないので、弦の劣化を防ぐことが可能になる。本発明における弦は、三味線の糸に該当する。
【００３４】  使用者が弦溝を自分の好みの大きさに加工して使用する場合もある。その為、当初の駒には弦溝が未形成であり、被打部と弦支持部がほぼ同じ高さの状態の場合もある。すなわち、必ずしも弦溝が形成されている必要はなく、使用者にとって、より自由な使い方の出来る駒を提供するものである。
【符号の説明】
【００３５】１０  駒
１１  駒端面
１２  駒周面
１３  被打部
１４  弦溝
１５  弦支持部
１６  弦支持部材
１７  駒柱部
２０  弦
【図１】
2018180498.tif 000003
【図２】
2018180498.tif 000004
【図３】
2018180498.tif 000005
【図４】
2018180498.tif 000006
【図５】
2018180498.tif 000007
【図６】
2018180498.tif 000008
【図７】
2018180498.tif 000009
【図８】
2018180498.tif 000010
【図９】
2018180498.tif 000011
【図１０】
2018180498.tif 000012
【図１１】
2018180498.tif 000013
【図１２】
2018180498.tif 000014
【図１３】
2018180498.tif 000015
【図１４】
2018180498.tif 000016
【図１５】
2018180498.tif 000017
【図１６】
2018180498.tif 000018